(57)【要約】【課題】簡単、且つ、精度良く、バッテリの過放電状態を検出し、バッテリの耐久性の劣化や、アイドルストップ車の再始動性の悪化を確実に防止する。【解決手段】バッテリ管理装置３２は、３６Ｖバッテリ１６の電圧値から３６Ｖバッテリ１６が過放電状態と判定される場合には、アイドルストップ制御装置３０に対してアイドルストップの禁止指令を出力し、更に、通常の充電電圧値よりも所定に高い電圧値で充電を実行する急速充電処理を実行して、放電状態を抑止させる。【選択図】  図２
2004248405.tif 000002
【特許請求の範囲】
【請求項１】
バッテリ電圧を検出するバッテリ電圧検出手段と、
予めバッテリが過放電状態であることを判定する上記バッテリ電圧の過放電閾値を設定し、該過放電閾値と上記バッテリ電圧とを比較して上記バッテリが過放電状態であるか否か判定する過放電判定手段と、
上記過放電判定手段で上記バッテリが過放電状態と判定した際に上記バッテリの放電状態を抑止する処理を実行させる放電抑止処理実行手段と、
を備えたことを特徴とする車両のバッテリ管理装置。
【請求項２】
バッテリ電流を検出するバッテリ電流検出手段と、バッテリ温度を検出するバッテリ温度検出手段とを備え、
上記過放電判定手段で設定する上記過放電閾値は、上記バッテリ電流と上記バッテリ温度の少なくともどちらかに応じて可変設定することを特徴とする請求項１記載の車両のバッテリ管理装置。
【請求項３】
上記放電抑止処理実行手段は、上記過放電判定手段で上記バッテリが過放電状態と判定した際には、上記バッテリに対する充電を行う発電機を停止させるエンジンのアイドルストップの禁止指令を出力することを特徴とする請求項１又は請求項２記載の車両のバッテリ管理装置。
【請求項４】
上記放電抑止処理実行手段は、上記過放電判定手段で上記バッテリが過放電状態と判定した際には、通常の充電電圧値よりも所定に高い電圧値で充電を実行する急速充電の実行指令を出力することを特徴とする請求項１乃至請求項３の何れか一つに記載の車両のバッテリ管理装置。
【請求項５】
上記急速充電は、少なくとも予め設定しておいたバッテリ残存容量を示すバッテリ電圧値となった場合に終了させることを特徴とする請求項４記載の車両のバッテリ管理装置。
【請求項６】
上記急速充電は、少なくとも予め設定しておいた時間を経過した場合に終了させることを特徴とする請求項４又は請求項５記載の車両のバッテリ管理装置。
【発明の詳細な説明】
【０００１】
【発明の属する技術分野】
本発明は、エンジンと電動機の両方を搭載するハイブリッド車や電気自動車等においてバッテリの充放電状態を監視し、該バッテリを容易且つ適切に管理する車両のバッテリ管理装置に関する。
【０００２】
【従来の技術】
近年、自動車等の車両においては、低公害、省資源の観点からエンジンとモータとを併用する様々な形態のハイブリッド車や、モータのみで走行可能な電気自動車が開発され、実用化されている。
【０００３】
このような、ハイブリッド車や電気自動車においては、バッテリの管理を精度良く行うことが重要である。例えば、特開平８−２９５０６号公報においては、車両の停車状態を確認し、その直後の車両加速状態におけるバッテリからの放電電流とこの時のバッテリ電圧を検出して、これら放電電流とバッテリ電圧よりバッテリの内部抵抗を算出して、この内部抵抗に基いて正確にバッテリの残存容量を決定する技術が開示されている。
【０００４】
【特許文献１】
特開平８−２９５０６号公報
【０００５】
【発明が解決しようとする課題】
しかしながら、バッテリを上述の特許文献１に記載されるようなバッテリの残存容量で管理しようとすると、複数のパラメータを用いた複雑な演算処理が必要になり、これらパラメータ毎の検出誤差や、演算誤差を生じ、却って正確なバッテリの管理が難しいものとなる可能性がある。
【０００６】
そして、バッテリの過放電状態が、上述の様々な誤差により正確に推定できず、過放電状態にてバッテリが長期間放置されると、極板劣化により、バッテリの耐久性を劣化させる虞がある。また、特に、アイドルストップが可能な車両では、バッテリの過放電状態により、スムーズなエンジン再始動が困難になる等の問題を生じてしまう可能性がある。
【０００７】
本発明は上記事情に鑑みてなされたもので、簡単、且つ、精度良く、バッテリの過放電状態を検出し、バッテリの耐久性の劣化や、アイドルストップ車の再始動性の悪化を確実に防止することが可能な車両のバッテリ管理装置を提供することを目的としている。
【０００８】
【課題を解決するための手段】
上記目的を達成するため請求項１記載の本発明による車両のバッテリ管理装置は、バッテリ電圧を検出するバッテリ電圧検出手段と、予めバッテリが過放電状態であることを判定する上記バッテリ電圧の過放電閾値を設定し、該過放電閾値と上記バッテリ電圧とを比較して上記バッテリが過放電状態であるか否か判定する過放電判定手段と、上記過放電判定手段で上記バッテリが過放電状態と判定した際に上記バッテリの放電状態を抑止する処理を実行させる放電抑止処理実行手段とを備えたことを特徴としている。
【０００９】
また、請求項２記載の本発明による車両のバッテリ管理装置は、請求項１記載の車両のバッテリ管理装置において、バッテリ電流を検出するバッテリ電流検出手段と、バッテリ温度を検出するバッテリ温度検出手段とを備え、上記過放電判定手段で設定する上記過放電閾値は、上記バッテリ電流と上記バッテリ温度の少なくともどちらかに応じて可変設定することを特徴としている。
【００１０】
更に、請求項３記載の本発明による車両のバッテリ管理装置は、請求項１又は請求項２記載の車両のバッテリ管理装置において、上記放電抑止処理実行手段は、上記過放電判定手段で上記バッテリが過放電状態と判定した際には、上記バッテリに対する充電を行う発電機を停止させるエンジンのアイドルストップの禁止指令を出力することを特徴としている。
【００１１】
また、請求項４記載の本発明による車両のバッテリ管理装置は、請求項１乃至請求項３の何れか一つに記載の車両のバッテリ管理装置において、上記放電抑止処理実行手段は、上記過放電判定手段で上記バッテリが過放電状態と判定した際には、通常の充電電圧値よりも所定に高い電圧値で充電を実行する急速充電の実行指令を出力することを特徴としている。
【００１２】
更に、請求項５記載の本発明による車両のバッテリ管理装置は、請求項４記載の車両のバッテリ管理装置において、上記急速充電は、少なくとも予め設定しておいたバッテリ残存容量を示すバッテリ電圧値となった場合に終了させることを特徴としている。
【００１３】
また、請求項６記載の本発明による車両のバッテリ管理装置は、請求項４又は請求項５記載の車両のバッテリ管理装置において、上記急速充電は、少なくとも予め設定しておいた時間を経過した場合に終了させることを特徴としている。
【００１４】
すなわち、請求項１記載の車両のバッテリ管理装置は、バッテリ電圧検出手段でバッテリ電圧を検出し、過放電判定手段で予めバッテリが過放電状態であることを判定するバッテリ電圧の過放電閾値を設定し、該過放電閾値とバッテリ電圧とを比較してバッテリが過放電状態であるか否か判定する。そして、過放電判定手段でバッテリが過放電状態と判定した際に、放電抑止処理実行手段は、バッテリの放電状態を抑止する処理を実行させる。
【００１５】
この際、請求項２記載のように、バッテリ電流検出手段でバッテリ電流を検出し、バッテリ温度検出手段でバッテリ温度を検出しているのであれば、過放電判定手段で設定する過放電閾値は、バッテリ電流とバッテリ温度の少なくともどちらかに応じて可変設定するようにすれば、より正確な過放電状態の判定が行える。
【００１６】
また、放電抑止処理実行手段は、過放電判定手段でバッテリが過放電状態と判定した際には、具体的には、請求項３記載のように、バッテリに対する充電を行う発電機を停止させるエンジンのアイドルストップの禁止指令を出力する。
【００１７】
更に、放電抑止処理実行手段は、過放電判定手段でバッテリが過放電状態と判定した際には、具体的には、請求項４記載のように、通常の充電電圧値よりも所定に高い電圧値で充電を実行する急速充電の実行指令を出力する。
【００１８】
この請求項４で記載する急速充電は、請求項５記載のように、少なくとも予め設定しておいたバッテリ残存容量を示すバッテリ電圧値となった場合に終了させるようにしても良く、又は、請求項６記載のように、少なくとも予め設定しておいた時間を経過した場合に終了させるようにしても良い。
【００１９】
【発明の実施の形態】
以下、図面に基づいて本発明の実施の形態を説明する。                    図１〜図７は本発明の実施の形態を示し、図１は車両のバッテリ管理装置を有する車両全体の概略説明図、図２はバッテリ管理制御のフローチャート、図３はバッテリの電流値と温度に応じて可変設定される過放電閾値の特性図、図４はアイドルストップ後のバッテリの電圧値と電流値の変化の一例を示すタイムチャート、図５はバッテリの電流値と温度に応じて可変設定される過充電閾値の特性図、図６は回生開始後のバッテリの電圧値と電流値の変化の一例を示すタイムチャート、図７はインバータに対して通常時と充電休止時に指令する充電の電圧値の温度特性図である。
【００２０】
図１において、符号１は車両前部に配置されたエンジンを示し、このエンジン１による駆動力は、エンジン１後方の自動変速装置（トルクコンバータ等も含んで図示）２からトランスファ３に伝達される。
【００２１】
更に、このトランスファ３に伝達された駆動力は、リヤドライブ軸４、プロペラシャフト５、ドライブピニオン軸部６を介して後輪終減速装置７に入力される一方、リダクションドライブギヤ、リダクションドリブンギヤ、フロントドライブ軸を介して前輪終減速装置（以上、フロント駆動系は図示せず）に入力される。
【００２２】
後輪終減速装置７に入力された駆動力は、後輪左ドライブ軸８ｒｌを経て左後輪９ｒｌに、後輪右ドライブ軸８ｒｒを経て右後輪９ｒｒに伝達される。前輪終減速装置に入力された駆動力は、前輪左ドライブ軸８ｆｌを経て左前輪９ｆｌに、前輪右ドライブ軸８ｆｒを経て右前輪９ｆｒに伝達される。
【００２３】
次に、この車両に車載される各エレクトロニクス系について説明する。
本車両は、４２Ｖの高電圧系と１４Ｖの低電圧系の２つの電圧系統を有して構成されている。
【００２４】
符号１１は、インバータ装置を示し、このインバータ装置１１には、エンジン１のクランクスプロケット１２によりベルト１３を介して回転軸端部のプーリ１４が回転され発電を行うと共に、最初の始動時以外の再始動等におけるエンジン１の始動を行うモータ／ジェネレータ１５が電気的に接続されている。
【００２５】
インバータ装置１１には、充放電可能な３６Ｖバッテリ１６と接続された４２Ｖ系の配線が接続され、この４２Ｖ系の配線には、最初のエンジン始動時のみ使用するスタータモータ１７や、電動モータによるパワーステアリング装置１８等が接続されている。
【００２６】
また、インバータ装置１１側面には、４２Ｖ系の配線が接続されて、４２Ｖ電圧を１４Ｖ電圧に変換するＤＣ−ＤＣコンバータ１９が略一体的に併設されている。このＤＣ−ＤＣコンバータ１９に接続される配線には、充放電可能な１２Ｖバッテリ２０が接続され、その他各種ランプ、オーディオ、及び、後述する各制御装置等の１４Ｖ負荷２１が接続されている。
【００２７】
車両には、車両の自動停止再始動制御を実行するアイドルストップ制御装置３０が搭載されており、このアイドルストップ制御装置３０には、エンジン１における周知の各種制御を実行するエンジン制御装置３１、主に３６Ｖバッテリ１６の充電状態、放電状態を管理するバッテリ管理装置３２等が、例えば、車両の通信ネットワークとしてＩＳＯの標準プロトコルの一つであるＣＡＮ（Ｃｏｎｔｒｏｌｌｅｒ
Ａｒｅａ  Ｎｅｔｗｏｒｋ）等により接続されている。
【００２８】
アイドルストップ制御装置３０には、ブレーキペダル４１の踏み込みストロークを検出するブレーキペダル踏み込み量センサ４２（ブレーキ油圧を検出するものでも良い）、アクセルペダル４３の踏み込みストロークを検出するアクセルペダル踏み込み量センサ４４が接続されている。また、アイドルストップ制御装置３０には、ハンドル角θＨを検出するハンドル角センサ４５、車速Ｖを検出する車速センサ４６、選択されたシフトポジション（Ｐ、Ｒ、Ｎ、Ｄ、３速、２速、１速の各レンジ位置）を検出するシフトポジションスイッチ４７、エンジン回転数ＮＥを検出するエンジン回転数センサ４８等が接続されている。
【００２９】
そして、アイドルストップ制御装置３０は、これらスイッチ、センサ類から得られる情報を基に、予め設定しておいたエンジン自動停止条件が成立しているか否か判定し、エンジン自動停止条件が成立している場合には、エンジン制御装置３１に対して信号を出力してエンジン１を自動停止するアイドルストップを実行させる。
【００３０】
また、アイドルストップ制御装置３０は、アイドルストップ状態の場合にエンジン自動停止条件が不成立の状態となったら、エンジン制御装置３１及びインバータ装置１１に信号を出力してモータ／ジェネレータ１５を駆動させ、エンジン１を再始動させる。ここで、エンジン自動停止条件とは、例えば、ブレーキペダル４１が踏み込まれ、アクセルペダル４３が踏まれておらず、シフトポジションがＰ、Ｎ、Ｄ、３速、２速、１速の何れかで、車速Ｖが略ゼロであり、且つ、バッテリ管理装置３２からアイドルストップの禁止指令がない場合である。
【００３１】
更に、アイドルストップ制御装置３０は、予め設定しておいた回生条件（例えば、アクセルペダル４３が踏まれておらず、エンジン回転数ＮＥが１０００ｒｐｍ以上で、車速Ｖが４０ｋｍ／ｈ以上で、駆動系とエンジン１とが連結され燃料が消費されていない条件）が成立する場合には、バッテリ管理装置３２に対して回生指令を出力する。
【００３２】
また、バッテリ管理装置３２は、後述の図２に示すフローチャートに従って、３６Ｖバッテリ１６の充電状態、放電状態を管理すべく、３６Ｖバッテリ１６における温度を検出するバッテリ温度検出手段としてのバッテリ温度センサ５１、３６Ｖバッテリ１６の電圧値を検出するバッテリ電圧検出手段としてのバッテリ電圧計５２、３６Ｖバッテリ１６の電流値を検出するバッテリ電流検出手段としてのバッテリ電流計５３が接続されている。
【００３３】
バッテリ管理装置３２は、充電に際しては、モータ／ジェネレータ１５の発電トルクを直接的に制御することなく、目標とする電圧値をインバータ装置１１に出力して充電を実行させるものであり、３６Ｖバッテリ１６は回生等により充電が行われるものであるため、通常は、予め設定しておいた７０％のバッテリ残存容量に相当する電圧値により充電が行われるようになっている。また、アイドルストップ制御装置３０から回生指令がある場合には、通常より若干高い目標とする電圧値がインバータ装置１１に対して出力される。
【００３４】
また、バッテリ管理装置３２は、３６Ｖバッテリ１６の電圧値から３６Ｖバッテリ１６が過放電状態と判定される場合には、後述の如く、アイドルストップ制御装置３０に対してアイドルストップの禁止指令を出力し、更に、通常の充電電圧値よりも所定に高い電圧値で充電を実行する急速充電処理を実行して、放電状態を抑止させる。すなわち、バッテリ管理装置３２は、過放電判定手段と、放電抑止処理実行手段の機能を備えて構成されている。
【００３５】
更に、バッテリ管理装置３２は、３６Ｖバッテリ１６の電流値から３６Ｖバッテリ１６が過充電状態と判定される場合には、後述の如く、モータ／ジェネレータ１５による発電をカットすることなく通常の充電電圧値よりも所定に低い電圧値を設定する充電休止処理を実行するようになっている。
【００３６】
次に、バッテリ管理装置３２におけるバッテリ管理制御を図２のフローチャートで説明する。まず、ステップ（以下、「Ｓ」と略称）１０１で制御に必要なパラメータを読み込み、Ｓ１０２に進み、３６Ｖバッテリ１６が過放電状態か否か判定する。
【００３７】
これは、具体的には、まず、図３に示すように、予めメモリしておいた３６Ｖバッテリ１６の電流値と温度に応じた過放電閾値Ｖｃ１のマップを参照して、過放電閾値Ｖｃ１を設定し、この過放電閾値Ｖｃ１と３６Ｖバッテリ１６の電圧値とを比較することにより過放電状態か否か判定する。この過放電閾値Ｖｃ１は、温度が高くなるほど、高い値に設定され、また、電流値が高くなるほど電圧ドロップが大きくなるため低い値に設定されるようになっている。
【００３８】
そしてすなわち、図４のタイムチャートの例に示すように、時間ｔ０でエンジン１がアイドルストップし、電流値が一定の放電を続けていくと、３６Ｖバッテリ１６の電圧値は次第に低下していく。そして、この電圧値の低下が、上述の過放電閾値Ｖｃ１を下回ろうとした際（時間ｔｖｃ１）に、３６Ｖバッテリ１６が過放電状態と判定するのである。
【００３９】
Ｓ１０２の判定の結果、３６Ｖバッテリ１６が過放電状態と判定された場合は、Ｓ１０３に進み、アイドルストップ制御装置３０に対してアイドルストップの禁止指令を出力し、放電を抑止させる。
【００４０】
次いで、Ｓ１０４に進んで、３６Ｖバッテリ１６に対する急速充電の処理を行う。これは、図７に示す、通常の充電の目標とする予め設定しておいた７０％のバッテリ残存容量に相当する電圧値（温度に応じて可変設定される値）よりも所定に高い電圧値（例えば、＋２Ｖ）をインバータ装置１１に出力して充電を実行させる。尚、この急速充電の処理は、余り長い時間の間、実行すると、３６Ｖバッテリ１６の温度が上昇して活性化しすぎる虞があるため、１０分程度のみに限定して行うことが望ましい。
【００４１】
そして、Ｓ１０５に進み、３６Ｖバッテリ１６の電圧値が中間状態、すなわち、通常の充電の目標とする予め設定しておいた７０％のバッテリ残存容量に相当する電圧値（温度に応じて可変設定される値）に到達したか否か判定し、中間状態に到達していないのであれば、Ｓ１０４の急速充電の処理を再度実行し、中間状態に到達しているのであればＳ１１２へと進む。
【００４２】
一方、Ｓ１０２で３６Ｖバッテリ１６は、過放電状態ではないと判定した場合は、Ｓ１０６に進み、３６Ｖバッテリ１６が過充電状態か否か判定する。
【００４３】
これは、具体的には、まず、図５に示すように、予めメモリしておいた３６Ｖバッテリ１６の電圧値と温度に応じた過充電閾値Ｉｃ１のマップを参照して、過充電閾値Ｉｃ１を設定し、この過充電閾値Ｉｃ１と３６Ｖバッテリ１６の電流値とを比較することにより過充電状態か否か判定する。この過充電閾値Ｉｃ１は、温度が高くなるほど、高い値に設定され、また、電圧値が高くなるほど大きな電流が流れるため、高い値に設定されるようになっている。
【００４４】
そしてすなわち、図６のタイムチャートの例に示すように、時間ｔ０で回生による充電が開始され、一定の電圧値が設定されて３６Ｖバッテリ１６に充電が始まると、次第に３６Ｖバッテリ１６に流入される電流値が小さくなっていく。そして、この電流値の低下が上述の過充電閾値Ｉｃ１を下回ろうとした際（時間ｔｉｃ１）に、３６Ｖバッテリ１６が過充電状態と判定するのである。
【００４５】
こうして、Ｓ１０６の判定の結果、３６Ｖバッテリ１６が過充電状態と判定された場合は、Ｓ１０７に進み、３６Ｖバッテリ１６の充電休止の処理を行う。これは、図７に示す、通常の充電の目標とする予め設定しておいた７０％のバッテリ残存容量に相当する電圧値（温度に応じて可変設定される値）に対し、完全に充電をカットしてしまうのではなく、予め設定しておいた５０％のバッテリ残存容量に相当する電圧値（温度に応じて可変設定される値）で充電するように、インバータ装置１１に出力するのである。
【００４６】
そして、Ｓ１０８に進み、３６Ｖバッテリ１６の電圧値が中間状態、すなわち、通常の充電の目標とする予め設定しておいた７０％のバッテリ残存容量に相当する電圧値（温度に応じて可変設定される値）に到達したか否か判定し、中間状態に到達していないのであれば、Ｓ１０７の充電休止の処理を再度実行し、中間状態に到達しているのであればＳ１１２へと進む。
【００４７】
Ｓ１０６で、３６Ｖバッテリ１６が過充電状態ではないと判定された場合、Ｓ１０９に進み、その他の異常状態が有るか否か判定され、その他の異常状態がある場合にはＳ１１０に進み、その他の異常状態がなければＳ１１２へと進む。このその他の異常とは、例えば、３６Ｖバッテリ１６の電圧値、電流値、或いは、温度が、通常ではとりえない値を示す場合等で、このような異常がある場合には、Ｓ１１０に進み、正常化処理、例えば、バッテリ温度センサ５１、バッテリ電圧計５２、バッテリ電流計５３の結線確認の自己診断プログラムの実行等を行って、Ｓ１１１に進む。
【００４８】
Ｓ１１１では、正常状態に復帰したか否か確認し、正常状態に復帰していないのであれば、Ｓ１１０に戻って、再び、必要な正常化処理を行い、正常状態に復帰している場合にはＳ１１２に進む。
【００４９】
Ｓ１０５、Ｓ１０８、Ｓ１０９、Ｓ１１１の何れかからＳ１１２に進むと、アイドルストップ制御装置３０から回生指令が出力されているか否か判定される。そして、回生指令が出力されていないのであれば、Ｓ１１３に進み、図７に示すような、通常の充電の目標とする予め設定しておいた７０％のバッテリ残存容量に相当する電圧値（温度に応じて可変設定される値）で充電するようにインバータ装置１１に出力しプログラムを抜ける。
【００５０】
一方、アイドルストップ制御装置３０から回生指令が出力されている場合にはＳ１１４に進み、回生時の電圧値、例えば、図７に示す、通常の充電の目標とする予め設定しておいた７０％のバッテリ残存容量に相当する電圧値（温度に応じて可変設定される値）よりも５Ｖ高い値をインバータ装置１１に出力しプログラムを抜ける。このように、回生時の電圧値を、通常時より若干高い電圧に設定するだけで、通常時より５Ｖ高い値になった時点でモータ／ジェネレータ１５は、発電をしなくなるため、モータ／ジェネレータ１５をトルクコントロールすることによる誤差を簡単に排除している。
【００５１】
以上のように、本発明の実施の形態によるバッテリ管理装置３２によれば、通常の充電の目標とする電圧値は、予め設定しておいた７０％のバッテリ残存容量に相当する電圧値（温度に応じて可変設定される値）で充電するようになっているため、頻繁に回生、アイドルストップが行われ、充放電が常時行われる車両のバッテリの管理を、単に、その電圧値を定めるだけで、複雑な演算や多くのパラメータを考慮することなく、誤差を少なく正確に行うことが可能になっている。また、頻繁な回生、アイドルストップが可能であるため燃費の大きな向上を図ることが可能となっている。例えば、充電の目標とする電圧値が、満充電に近い値となっている場合では、誤差により、過充電となってしまう場合も想定され、また、満充電を目標とすると、エネルギを回生することができない場面も多くなり、燃費の向上があまり期待できない虞がある。逆に、充電の目標とする電圧値が低すぎる場合では、頻繁にアイドルストップが行われた場合、アイドルストップ後の再始動をスムーズに行うことが難しくなる虞があるが、本実施の形態のように、予め設定しておいた７０％のバッテリ残存容量に相当する電圧値（温度に応じて可変設定される値）で充電するようになっていれば、このような問題も生じることがない。
【００５２】
また、本実施の形態によれば、回生時の充電を、単に電圧値を通常時よりも若干高い電圧値で設定するようになっているので、通常時より若干高い電圧値になった時点でモータ／ジェネレータ１５は、発電をしなくなるため、モータ／ジェネレータ１５をトルクコントロールすることによる誤差を簡単に排除することができる。そして、充電が進行するに従い、３６Ｖバッテリ１６の電圧値が高くなり発電量が減少されるため、３６Ｖバッテリ１６の劣化を防ぎつつ、また、モータ／ジェネレータ１５のＯＮ−ＯＦＦのトルクショックの無い、制御が実現されるようになっている。
【００５３】
更に、本実施の形態によれば、３６Ｖバッテリ１６の過放電状態を単に電圧値を、過放電閾値Ｖｃ１と比較することで判定できるようになっているため、３６Ｖバッテリ１６の過放電状態を、複雑な演算や多くのパラメータを考慮することなく、誤差を少なく正確に判断でき、３６Ｖバッテリ１６の耐久性の劣化や、アイドルストップ車の再始動性の悪化を確実に防止することが可能となっている。そして、３６Ｖバッテリ１６の過放電状態を検出した場合には、アイドルストップの禁止指令を出力し、放電状態を確実に抑制できるようになっている。また、更に、急速充電処理を行うことにより、車両停止等に備えて、確実に３６Ｖバッテリ１６の性能劣化を防止できるようになっている。
【００５４】
また、本実施の形態によれば、３６Ｖバッテリ１６の過充電状態を単に電流値を、過充電閾値Ｉｃ１と比較することで判定できるようになっているため、３６Ｖバッテリ１６の過充電状態を、複雑な演算や多くのパラメータを考慮することなく、誤差を少なく正確に判断でき、３６Ｖバッテリ１６の耐久性、信頼性の劣化等を確実に防止することが可能となっている。そして、３６Ｖバッテリ１６の過充電状態を検出した場合には、３６Ｖバッテリ１６の充電休止の処理、すなわち、通常の充電の目標とする予め設定しておいた７０％のバッテリ残存容量に相当する電圧値（温度に応じて可変設定される値）に対し、完全に充電をカットしてしまうのではなく、予め設定しておいた５０％のバッテリ残存容量に相当する電圧値（温度に応じて可変設定される値）で充電するように、インバータ装置１１に出力する。このように、発電電圧を、降下させて設定することにより、３６Ｖバッテリ１６から、急速に放電が行われ、充電受け入れ分を確保することができる。また、モータ／ジェネレータ１５による発電を完全にカットしないことにより、急激な電装負荷変動から３６Ｖバッテリ１６を保護することができ、発電のＯＮ−ＯＦＦによるショックも緩和することが可能で、車両の乗り心地を良好に保つことができる。
【００５５】
【発明の効果】
以上、説明したように本発明によれば、簡単、且つ、精度良く、バッテリの過放電状態を検出し、バッテリの耐久性の劣化や、アイドルストップ車の再始動性の悪化を確実に防止することが可能となる。
【図面の簡単な説明】
【図１】車両のバッテリ管理装置を有する車両全体の概略説明図
【図２】バッテリ管理制御のフローチャート
【図３】バッテリの電流値と温度に応じて可変設定される過放電閾値の特性図
【図４】アイドルストップ後のバッテリの電圧値と電流値の変化の一例を示すタイムチャート
【図５】バッテリの電流値と温度に応じて可変設定される過充電閾値の特性図
【図６】回生開始後のバッテリの電圧値と電流値の変化の一例を示すタイムチャート
【図７】インバータに対して通常時と充電休止時に指令する充電の電圧値の温度特性図
【符号の説明】
１    エンジン
１１    インバータ装置
１５    モータ／ジェネレータ
１６    ３６Ｖバッテリ
３０    アイドルストップ制御装置
３１    エンジン制御装置
３２    バッテリ管理装置（過放電判定手段、放電抑止処理実行手段）
５１    バッテリ温度センサ（バッテリ温度検出手段）
５２    バッテリ電圧計（バッテリ電圧検出手段）
５３    バッテリ電流計（バッテリ電流検出手段）
【図１】
2004248405.tif 000003
【図２】
2004248405.tif 000004
【図３】
2004248405.tif 000005
【図４】
2004248405.tif 000006
【図５】
2004248405.tif 000007
【図６】
2004248405.tif 000008
【図７】
2004248405.tif 000009